Podtech/llm-jp-corpus-v4-ja_patent huggingface dataset:
(57)【要約】      （修正有）【課題】画面やスイッチの抗菌性を有するタッチパネル式モニタを提供する。【解決手段】タッチパネル式モニタ１の画面２やスイッチ３を、抗菌処理を施した抗菌性フイルム又はカバー４により被包する。【選択図】図１
0003232226.tif 000002
【実用新案登録請求の範囲】
【請求項１】
モニタの構成部である画面やスイッチを透明な抗菌機能を有するフイルム又はカバーで被包してなることを特徴とする抗菌機能を有するタッチパネル式モニタ。
【請求項２】
前記フイルム又はカバーが透明な板に抗菌性のフイルム又は塗装をはめ込み、もしくは貼付けしたものからなることを特徴とする請求項１に記載の抗菌機能を有するタッチパネル式モニタ。
【考案の詳細な説明】
【技術分野】
【０００１】  本考案は、タッチパネル式モニタの画面やスイッチの部分を抗菌機能を有する透明なフイルムやカバーで被包してなる抗菌機能を有するタッチパネル式モニタに関する。
【背景技術】
【０００２】  タッチパネル式モニタとしては図２に示すように各種のものが既に多数存在している。タッチパネル式モニタとしては図示のように画面やスイッチが表面側に設けられているものが多い。タッチパネル式モニタはその構成としてその画面やスイッチは外面にそのまま表示されているものがすべてであり、その状態では抗菌の機能を有するものではない。特にスイッチは任意の人々がタッチするものであり、抗菌性については全く有していない。タッチパネル式モニタは多数の人々がタッチして使用するものであり、抗菌性を有することが必要であるが従来では抗菌機能を有するタッチパネル式モニタは存在していない。また、本考案の出願人の調査でも抗菌機能を有するタッチパネル式モニタの公知技術は発見されなかった。
【考案の概要】
【考案が解決しようとする課題】
【０００３】  前記のようにタッチパネル式モニタとしては多くの人々がタッチするものであり、抗菌機能を有するものが必要である。しかしながら、前記のように抗菌機能を有するものが従来はなく、出願人としてはタッチパネル式モニタ自体の機能を害することなく抗菌性を有する手段を創案し出願の対象としたものである。
【課題を解決するための手段】
【０００４】  本考案は以上の事情に鑑みて出願したものであり、この考案の請求項１のタッチパネル式モニタは、モニタの構成部である画面やスイッチを透明な抗菌機能を有するフイルム又はカバーで被包してなることを特徴とする。【０００５】  また、本考案の請求項２のタッチパネル式モニタは、前記フイルム又はカバーが透明な板に抗菌性のフイルム又は塗装をはめ込み、もしくは貼付したものからなることを特徴とする。
【考案の効果】
【０００６】  本考案の請求項１の抗菌機能を有するタッチパネル式モニタによれば、モニタの画面やスイッチの部分が透明な抗菌機能を有するフイルムやカバーによって被包されるため、画面やスイッチの本来の機能を害する事なく抗菌の効果を挙げることが出来る。【０００７】  また、本考案の請求項２の抗菌機能を有するタッチパネル式モニタによれば、透明なフイルムの具体的内容が明記され、実行性の向上を図ることが出来る。
【図面の簡単な説明】
【０００８】
【図１】  従来の内容を表示するための立体図。
【図２】  従来のタッチパネル式モニタの数例を示す写真。
【考案を実施するための形態】
【０００９】  図１に示すようにタッチパネル式モニタ１としては画面２やスイッチ３が表面に配置されている。この画面やスイッチはそのままでは抗菌性を有さないため、図示の透明な抗菌性フイルム又はカバー４が使用され、このものをタッチパネル式モニタの画面２やスイッチを被包するように取り付ける。この取り付けの手段としては各種の手段があるが画面が表示されている部分を被包して固定すれば目的を果すことが出来る。
【００１０】  抗菌性機能を有するフイルムやカバーの内容についてはここで詳しく説明しないがその一例として透明な板に抗菌フイルムや抗菌塗装をしたものをはめ込み、もしくは貼付けしたことにより作成される。また、抗菌処理については従来技術が多く存在しているため、その説明は省略する。
【００１１】  本考案は以上の説明の内容からなるが、これに限定するものではなく、一般の技術的範疇のものが使用されることは勿論である。
【産業上の利用可能性】
【００１２】  タッチパネル式モニタとしては各種のものが多く存在しているため、本考案の利用範囲としては極めて大きい。
【符号の説明】
【００１３】１  タッチパネル式モニタ
２  画面
３  スイッチ
４  抗菌性フイルム又はカバー
【図１】
0003232226.tif 000003
【図２】
0003232226.tif 000004
(57)【要約】      （修正有）【課題】スペースを有効利用できる室内・外に設置する、組み立て式の多目的使用型シェルターを提供する。【解決手段】運動器具１０や遊具等を備えることにより、耐震シェルター１５だけでなく、スペースを有効利用できる、多目的シェルターを提供する。【選択図】図３
0003232910.tif 000002
【実用新案登録請求の範囲】
【請求項１】
運動器具１０を備えた、組み立て式耐震シェルター１５
【考案の詳細な説明】
【考案の詳細な説明】
【技術分野】この考案は、室内・外に設置する、組み立て式の多目的使用型シェルター１５である。図面に基づいて説明すれば、フレーム柱１・フレーム梁３・リブ２・天井４・床５をジョイント金具７で、組み立てる耐震シェルター１５である。
【背景技術】  従来の耐震シェルター１５は、地震が発生した時、建物崩壊から、命を守るものである。特に室内に設置された場合、地震時に逃げ込む程度の用途であり、スペースを有効利用できていなかった。
【考案が解決しようとする課題】
本考案は、耐震シェルター１５のスペースを有効利用するために、考案されたものである。
【考案が解決しようとする課題と手段】
運動器具１０等を備えることにより、耐震シェルター１５だけでなく、有効利用できる、耐震シェルター１５を提供するものである。
【考案を実施するための形態】
図面に従い説明すれば、図１は本考案の斜視図である。
図２は、屋内に設置された概略図である。居ながらにして、引っ越しなしでも短期間で組み立て、設置工事ができる。
図３は、腹筋運動をするために、運動器具１０として、足元を押さえる補助バー備え、人９が腹筋運動をしている図である。
図４は、ぶら下がりストレッチ運動の為に、運動器具１０として、ぶら下がりバーを設置し、人９がぶら下がった図である。
図５は、ベッド１１を設置し就寝中の地震に備えるもの。机１３・イス１２を設置して、勉強部屋とか、書斎として利用するものである。
図６は、運動器具１０として、室内歩行器を設置し、歩行運動をする。又、腕力トレーニグ器が設置されていて、人９が、腕力トレーニングをしている図。
図７は、運動器具１０として、ぶらんこ吊りりバーを設置して、ブランコが、吊るしてあり、人９がブランコ遊びをしている図。
図８は、運動器具１０として鉄棒バーが設置されて、人９が鉄棒運動をしている図である。
【考案の効果】
単なる耐震シェルター１５ではなく、運動ジム・遊戯場・書斎・勉強部屋・寝室など、有効に使用でき、地震時も大変安全である。
実施態様の他にも、いろいろな任意の運動器具１０・運動器具１０の代わりに遊具も設置でき有効に耐震シェルター１５を使用することができる。
【図面の簡単な説明】
【図１】本考案の斜視図である。
【図２】本考案の屋内に設置された概略図である
【図３】本考案の実施態様図であり、腹筋運動をしている図。
【図４】本考案の実施態様図であり、ぶら下がりストレッチをしている図。
【図５】本考案の実施態様図であり、ベッド１１及び机１３・イス１２を設置した図。
【図６】本考案の実施態様図であり、室内歩行器で歩行運動し、腕力トレーニング器で腕力トレーニングをしている図。
【図７】本考案の実施態様図であり、ぶらんこ遊びをしている図、
【図８】本考案の実施態様図であり、鉄棒運動をしている図、
【符号の説明】フレーム柱１  リブ２  フレーム梁３  天井４  床５  足６  ジョイント金具７  部屋床８  人９  運動器具１０  ベッド１１  イス１２  机１３  家屋１４  耐震シェルター１５
【図１】
0003232910.tif 000003
【図２】
0003232910.tif 000004
【図３】
0003232910.tif 000005
【図４】
0003232910.tif 000006
0003232910.tif 000007
【図６】
0003232910.tif 000008
【図７】
0003232910.tif 000009
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
丸棒状腹筋補助バー運動器具（１０）をフレーム（６）に取り付け、
ばね付き引張り腕力トレーニグ器運動器具（１０）をフレームに取り付け、
丸棒状ぶら下がりバー運動器具（１０）をフレームに取り付け、
ブランコ吊りバー運動器具（１０）をチェーンでフレームから吊るし、
丸鉄棒運動器具（１０）をフレームに取り付けた、
運動器具（１０）を備えた、組み立て式耐震シェルター（１５）
【手続補正２】
【補正対象書類名】図面
【補正対象項目名】全図
【補正方法】変更
【補正の内容】
【図１】
0003232910.tif 000010
【図２】
0003232910.tif 000011
【図３】
0003232910.tif 000012
【図４】
0003232910.tif 000013
【図５】
0003232910.tif 000014
【図６】
0003232910.tif 000015
【図７】
0003232910.tif 000016
【図８】
0003232910.tif 000017
【手続補正書】
【提出日】令和2年12月19日(2020.12.19)
【手続補正１】
【補正対象書類名】実用新案登録請求の範囲
【補正対象項目名】全文
【補正方法】変更
【補正の内容】
【実用新案登録請求の範囲】
【請求項１】
運動器具（１０）をフレーム（６）の任意の箇所にに溶接で取り付けた、又は、ボルトで脱着式取り付けした、運動器具（１０）を備えた、組み立て式耐震シェルター（１５）
【手続補正書】
【提出日】令和3年3月15日(2021.3.15)
【手続補正１】
【補正対象書類名】実用新案登録請求の範囲
【補正対象項目名】全文
【補正方法】変更
【補正の内容】
【実用新案登録請求の範囲】
【請求項１】
フレーム柱（１）と、フレーム梁（３）と、リブ（２）と、天井（４）と、床（５）をジョイント金具（７）で、組み立てる組み立て式耐震シェルター（１５）であって、運動器具（１０）をフレーム柱（１）又はフレーム梁（３）の任意の箇所に溶接で取り付けた、又は、ボルトで脱着式取り付けした、運動器具（１０）を備えた、組み立て式耐震シェルター（１５）。
(57)【要約】【課題】加工性及び耐久性に優れており、種々の文様を付けることができるとともに、経年変化を楽しむことができ、リサイクル可能な表装部材を提供する。【解決手段】家具、店舗用什器又は建物を構成する表装部材１００であって、木製の基材２と、基材２の表面に接着された９９．９％以上の純度を有する錫製のシート部材３とを備える。【選択図】図１
0003232983.tif 000002
【実用新案登録請求の範囲】
【請求項１】
家具、店舗用什器又は建物を構成する表装部材であって、
木製の基材と、前記基材の表面に接着された９９．９％以上の純度を有する錫製のシート部材とを備えることを特徴とする表装部材。
【請求項２】
前記錫製のシート部材の表面には、文様が形成されている、請求項１に記載の表装部材。
【請求項３】
前記シート部材を繋ぎ合わせた部分は、継ぎ目なく一体化されている、請求項１又は２に記載の表装部材。
【請求項４】
請求項１乃至３の何れか一項に記載の表装部材を有する家具。
【請求項５】
請求項１乃至３の何れか一項に記載の表装部材を有する店舗用什器。
【請求項６】
請求項１乃至３の何れか一項に記載の表装部材を有する建物。
【考案の詳細な説明】
【技術分野】
【０００１】
この考案は、表装部材、並びに、当該表装部材を用いた家具、店舗用什器及び建物に関するものである。
【背景技術】
【０００２】
例えば、特許文献１に示すように、錫又は錫合金を鋳込む際に、その鋳込み空間を模様付け部材で構成することによって、錫又は錫合金からなる金属性薄板の表面に凹凸模様を形成する金属製薄板の製造方法が考えられている。
【先行技術文献】
【特許文献】
【０００３】
【特許文献１】特開２００６−１８１５７６号公報
【考案の概要】
【考案が解決しようとする課題】
【０００４】
一方で、本願考案者は、家具や店舗用什器又は建物を構成する表装部材に対して、種々の機能を発揮させるべく、錫そのものの性状を利用した表装部材について鋭意検討を行った。
【０００５】
そして、本考案は、上記鋭意検討の結果なされたものであり、加工性及び耐久性に優れており、種々の文様を付けることができるとともに、経年変化を楽しむことができ、リサイクル可能な表装部材を提供することを主たる課題とするものである。
【課題を解決するための手段】
【０００６】
すなわち本考案に係る表装部材は、家具、店舗用什器又は建物を構成する表装部材であって、前記表装部材は、木製の基材と、当該基材の表面に接着された９９．９％以上の純度を有する錫製のシート部材とを備えていることを特徴とする。
【０００７】
前記錫製のシート部材の表面には、文様が形成されていることが望ましい。この文様は、例えば金づち、石、金属ローラ等を用いて形成することが考えられる。
【０００８】
表装部材の美観を向上するためには、前記シート部材を繋ぎ合わせた部分は、継ぎ目なく一体化されていることが望ましい。
【０００９】
また、上記の表装部材を用いて構成した家具、店舗用什器又は建物も本考案の一態様である。
【考案の効果】
【００１０】
このように構成した本考案によれば、加工性及び耐久性に優れており、種々の文様を付けることができるとともに、経年変化を楽しむことができ、リサイクル可能な表装部材を提供することができる。
【図面の簡単な説明】
【００１１】
【図１】本考案の一実施形態における家具の一部を切り欠いた状態を示す斜視図及び部分拡大図である。
【考案を実施するための形態】
【００１２】
本考案の一実施形態について、図面を参照して説明する。
【００１３】
本実施形態に係る表装部材１００は、図１に示すように、家具、店舗用什器又は建物に用いられるものである。なお、図１には、机の天板に表装部材１００を用いた例を示している。
【００１４】
表装部材１００を家具に用いる場合には、例えば机、椅子、棚、台等に用いることができる。また、表装部材１００を店舗用什器に用いる場合には、例えば飲食用テーブル、調理場の流し台や調理台等に用いることができる。さらに、表装部材１００を建物に用いる場合には、例えば台所の流し台や調理台、洗面台、壁の内装又は外装、扉等に用いることができる。
【００１５】
この表装部材１００は、木製の基材２と、基材２の表面に接着された錫製のシート部材３とを備えている。
【００１６】
ここで、錫製のシート部材３は、９９．９％以上の純度を有する錫から形成されている。また、錫製のシート部材３の厚みは、例えば１．０ｍｍ（加工前）である。
【００１７】
この錫製のシート部材３は、基材２の表面に対して隙間無く接着剤４により貼り付けられている。ここで、接着剤４としては、木と錫とを接着するものであり、２液混合式エポキシ系接着剤を用いることができる。そして、例えば基材２の表面に接着剤４を塗布した後に、錫製のシート部材３を例えばゴムハンマ又はローラを用いて密着させる。なお、錫は伸展性に優れており、基材２の表面が平面の他に、湾曲面又は屈曲面であっても、隙間無く貼り付けることができる。
【００１８】
また、錫製のシート部材３の表面には、文様が形成されている。ここで、文様としては、例えば槌目模様を挙げることができ、その他、ざらざらとして荒れたもの（粗面加工による模様）、筋（線）が入ったもの（筋入れ加工による模様）、キラキラと光り輝くもの（鏡面加工による模様）、細かなヘアラインが入ったもの（ヘアライン加工による模様）等が考えられる。
【００１９】
さらに、錫製のシート部材３を繋ぎ合わせた部分は、継ぎ目なく一体化されている。ここでは、シート部材３を溶接して繋ぎ合わせた後に、継ぎ目を平らに研磨することによって、継ぎ目が視認できないようにし、継ぎ目のなく一体化している。
【００２０】
このように構成された本実施形態の表装部材１００によれば、錫そのものの性状を利用して、加工性及び耐久性に優れたものにできる。また、錫を用いることによって、種々の文様を付けることができる。さらに、錫は傷付きやすいものの、この傷付きやすさによる経年変化を楽しむことができる。その上、表装部材１００に用いた錫をほぼ１００％リサイクルすることができる。
【００２１】
その他、本考案は前記実施形態に限られず、その趣旨を逸脱しない範囲で種々変形が可能である。
【符号の説明】
【００２２】
１００・・・表装部材
２    ・・・木製の基材
３    ・・・錫性のシート部材
３    ・・・接着剤
【図１】
0003232983.tif 000003
(57)【要約】      （修正有）【課題】腰へ刀を差して保持するのにあたり、着脱について早く、安全に固定でき、利便性がよく、更に腰にある鞘も太刀打ちの際に動くことなく固定できる刀差しベルトサポートバックルを提供する。【解決手段】主ベルト１と副ベルト２を連結させる刀差しベルトサポートバックル３であり、素材は軽量、廉価なもので、主ベルト１の素材は、道着用帯等の布製品を使用し、着脱便利な面ファスナーを施し、副ベルト２はポリエステル製品で面ファスナーを施し、バックル３の構成は、円盤又は正方形状のゴム製品等の資材で、主ベルト１用に長方形で左右対称の縦状に二つの溝穴を、副ベルト２用にやや斜めに上・下の対状の二つの溝穴を開け、主、副ベルト１、２を通し、分離できないように安定化させている。【選択図】図１
0003232941.tif 000002
【実用新案登録請求の範囲】
【請求項１】
刀差しする場合において、腰にセットする際に主役用のベルト及び脇役用のベルトの二つのベルトをもって、一つは腰用への主ベルト、一つは鞘の固定用への副ベルトでバックルに嵌め込みをもって形成され、嵌め込みの構造は前記バックル本体に主ベルトを通す縦状の左・右対称の２箇所に溝穴を設け。副ベルトも斜度軌道４５度で上・下２箇所に溝穴を設け、前記バックル本体の各穴に前記主ベルトと前記副ベルトを通し連結させ、より刀差し作業がシステム化され簡単に装着ができることを講じ機能性を重視した特徴とする刀差しベルトサポートバックルである。
【請求項２】
請求項１において、前記副ベルトの主たる意図は、腰への装着によって剣技する際の太刀打ちによる鞘が動かないように工夫を講じたものである。
【考案の詳細な説明】
【技術分野】
【０００１】  本考案は刀差しの際、バックルの活用にて腰廻りの保持として主ベルトと及び剣技における太刀打ち時に鞘ぶれ防止対策用並びに腰廻りの強化保持も兼ねた副ベルトの装着とすることによって、極端にいうと普段着でも剣技が行うことができる趣旨に関するものである。
【背景技術】
【０００２】  刀差しの方法は、袴の使用の場合は袴本体に綴られている袴帯と、別途専用の帯紐との併用によるものと、又は道着用付随の布製帯で結びをもって締め、居合抜きの実技及び流儀型の練習等において、これら袴着用や道着用等で行わなければならない。
例えば、実用新案登録第３１７２４８４  公報（特許文献１）においても、同様の記述が多々載っている。
【先行技術文献】
【特許文献】
【０００３】
【特許文献１】実用新案登録第３１７２４８４  公報
【考案の概要】
【考案が解決しようとする課題】
【０００４】  刀差しての稽古や演武において、事前の準備段階おける袴、道着の用意しなければならないこと。
特に道着での一本帯の実施は、揺れ防止のため労力が求められる。
更に袴や専用帯等を購入するのに比較的に高額のため、負担が大であり、又袴や専用帯等を収納するバック等も用意し丁重な取扱にて現場まで持参し、道場や体育館等で着替えし、開始をする準備がそれなりに時間を要する。
例えば、袴や道着使用の場合は、着用が気軽に着こなすことができるスポーツウエア等のようにいかないこと。又鞘の動きも気にするため、剣技に集中ができない面もある。
顕著の例として、去る柔道大会における刀使用による抜刀演武の際に、鞘が演武者の帯から床下へずれ落ちているのを見かけたことがある。
【課題を解決するための手段】
【０００５】  刀差しにおいて、腰へ強く巻く主たるベルト及びズレ落ちを防ぐための補助的なベルトの二本がそれぞれに必要とするが、腰廻り装着する方を保持用の主ベルトとし、一方、固定用を副ベルトとして、これをバックルにより結合し統合化の働きにて、担うことで可能となる。
【考案の効果】
【０００６】袴の帯は脱げ落ちを防ぐ働きであり。又紐は刀を差す状態が安定性を齎す働きである。
片や、道着での使用も１本の帯で結び、この帯で刀を保持しているのが実状である。
例えば、剣技時の居合抜きや抜刀術等を行う際も、この帯等が活用され装着の役割を担っている。
ところが、本考案の刀差しベルトサポートバックルを使用することで、図１のようにスポーツウエアを着用にて左側面へ腰に刀を差し、ここから抜刀体制に入り、居合抜きや型の剣技に進行する。
本考案の刀差しベルトサポートバックルにより刀差しが軽量、コンパクト並びに携帯性にて居合い抜きや抜刀術等の稽古や演武が本考案にて刀差しが主ベルトによる腰帯への保持、抜刀後おける副ベルトによって揺れ動かないようにバックル化で安定させることにより、前記主ベルトと前記副ベルトから容易に腰へそれぞれ装着させる一連作業の行為よって、刀のぐらつきが無くなりスムースに目的が果たせる
これにより、狭い室内や郊外での練習も行える。
【図面の簡単な説明】
【０００７】
【図１】本考案の腰廻りに保持した主ベルトと副ベルトの連結したバックルで、刀を差した状態を示す左側面図ある。
【図２】本考案を主ベルトと副ベルト並びにバックルを連結化し組み合わせたものである。
【図３】本考案を主ベルトと副ベルト並びにバックルの各単品したものである。
【考案を実施するための形態】
【０００８】  図１の体裁みられるように本考案の刀差しベルトサポートバックルで身体に装着した姿勢から、抜刀体制に入り、鞘を左手に持ち右手で横・水平へ抜刀を進行し、その後、直ちに刀を両手で持ち。例えば斜め袈裟斬り、上段真っ向切り等の太刀打ちを行っても腰に保持されている鞘が大きく揺れることや、又下がり落ちることもなく、次ぎの型の太刀打ちがそのまま続行ができる。
【符号の説明】
【０００９】１  主ベルト
・素材  布製道着用帯            長さ１２６ｃｍ×巾４ｃｍ×厚０．５ｃｍ
２  副ベルト
・素材  アクリル製              長さ１２０ｃｍ×巾３ｃｍ×厚０．２ｃｍ
３  バックル
・素材  円盤ゴム板              直径１０ｃｍ×厚０．５ｃｍ
４盾状の溝穴の形態
・主ベルト用（左右対状２穴）    縦巾４ｃｍ×巾１  ｃｍ
・副ベルト用（角度４５度上下対状２穴）
縦巾３ｃｍ×巾０．５ｃｍ
・補助用  （上下対状２穴）      縦巾３ｃｍ×巾０．５ｃｍ
【図１】
0003232941.tif 000003
【図２】
0003232941.tif 000004
【図３】
0003232941.tif 000005
【手続補正書】
【提出日】令和3年3月11日(2021.3.11)
【手続補正１】
【補正対象書類名】実用新案登録請求の範囲
【補正対象項目名】全文
【補正方法】変更
【補正の内容】
【実用新案登録請求の範囲】
【請求項１】
刀差しする場合において、腰にセットする際に主役用のベルト及び脇役用のベルトの二つのベルトをもって、一つは腰用への主ベルト、一つは鞘の固定用への副ベルトでバックルに嵌め込みをもって形成され、嵌め込みの構造は前記バックル本体に主ベルトを通す縦状の左・右対称の２箇所に溝穴を設け、副ベルトも斜度軌道４５度で上・下２箇所に溝穴を設け、前記バックル本体の各穴に前記主ベルトと前記副ベルトを通し連結させ、より刀差し作業がシステム化され簡単に装着ができることを講じ機能性を重視した特徴とする刀差しベルトサポートバックル。
(57)【要約】      （修正有）【課題】空気取水機を筐体内に複数個連結させて防災用、非常時用に対応可能な大型機を作る空気取水機を提供する。【解決手段】空気取水機は、水蒸気を吸脱着し空気透過着脱フィルター、と該着脱フィルターへ水蒸気を吸着させる第一区画と該着脱フィルターから水蒸気脱着の第二区画のフィルターケースと、ケース内の該着脱フィルターを移動させる電動機、大気中に開いた吸気口から該第一区画を経て排気口迄の第一流路内の空気を流動させる第一電動ファン、該第二区画の下流から上流へ帰還の第二流路内空気を流動させる第二電動ファン、流入する作動空気加熱の電熱ヒータ、流出した作動空気が該第一流路を通過する空気冷却で凝縮水を得るコンデンサと、該凝縮水を貯水する貯水タンクと、を備える造水装置を複数連結する。【選択図】図３
0003232944.tif 000002
【実用新案登録請求の範囲】
【請求項１】
水蒸気を吸着または脱着しつつ空気を透過する着脱フィルターと、該着脱フィルターを収容すると共に該着脱フィルターへ空気を誘導して、該着脱フィルターへ水蒸気を吸着させる第一区画と該着脱フィルターから水蒸気を脱着させる第二区画とを有するフィルターケースと、該第一区画と該第二区画との間で該着脱フィルターを連続的または断続的に移動させる電動機と、大気中に開口している吸気口から該第一区画を経て大気中へ開口している排気口まで連なる第一流路と、該第一流路内の空気を流動させる第一電動ファンと、
該第二区画の下流側から上流側へ帰還する第二流路と、
該第二流路内の作動空気を流動させる第二電動ファンと、
該第二区画へ流入する作動空気を加熱する電熱ヒータと、
該第二区画から流出した作動空気が該第一流路を通過する空気により冷却して凝縮水を得るコンデンサと、該凝縮水を貯水する貯水タンクとを備える造水装置を複数連結した事を特徴とする空気取水機。
【考案の詳細な説明】
【技術分野】
【０００１】本考案は、空気取水機を筐体内に複数個連結させて防災用、非常時用に脱着が容易で即時対応可能な大型機を作る空気取水機に関するものである。
【背景技術】
【０００２】一般的に空気から水を作る機械又は装置の事を、製水機又は造水装置と呼
0003232944.tif 000003
案の空気取水機以外にはありません。
【考案の概要】
【考案が解決しようとする課題】
【０００３】従来の一般的に製水機とか造水装置と呼ばれる空気から水を作る製品で、
0003232944.tif 000004
水機以外では日本国内に存在しません。
海外製品の大型機の仕組みは小型機の部品を大型化して１つの機械又は装置としていますが、本考案のような製水機を複数連結するやり方ではありません。また、本考案以外で大型化をするには、個々の部品や使用するファン等のサイズアップとか、コンプレッサーの大型化が必要とされる為に、必然的に限度と限界が発生します。また、製水する際の騒音、振動などの発生も倍増することになり、製水においても十分な能力を発揮できない構造となりますし、商品化することも困難であります。
また、本考案のシステムと同様に個々の製水機を連結する方式を使ったとしても稼働時に生じる振動により設置については土台に強固に固定しなければならない為、脱着が容易にはできない仕組みになります。
尚且つ、本考案の空気取水機は、防災・非常時用として採用されたものなので、防災・非常時の為の個々の要望に応えるシステムを確立しています。
単純に、脱着が出来るだけではなく、その取出した空気取水機が個々に稼働して必要な場所に運べることを第一義と考えております。その為には、コンセントの形状も一般家庭用で使えるものにしており、即座に稼働も可能にしております。これらの事は、他社製品には見られない。解決もできないものと思われます。
【課題を解決するための手段】
【０００４】本考案は、水蒸気を吸着または脱着しつつ空気を透過する着脱フィルターと、該着脱フィルターを収容すると共に該着脱フィルターへ空気を誘導して、該着脱フィルターへ水蒸気を吸着させる第一区画と該着脱フィルターから水蒸気を脱着させる第二区画とを有するフィルターケースと、該第一区画と該第二区画との間で該着脱フィルターを連続的または断続的に移動させる電動機と、大気中に開口している吸気口から該第一区画を経て大気中へ開口している排気口まで連なる第一流路と、該第一流路内の空気を流動させる第一電動ファンと、
該第二区画の下流側から上流側へ帰還する第二流路と、
該第二流路内の作動空気を流動させる第二電動ファンと、
該第二区画へ流入する作動空気を加熱する電熱ヒータと、
該第二区画から流出した作動空気が該第一流路を通過する空気により冷却して凝縮水を得るコンデンサと、
該凝縮水を貯水する貯水タンクと、を備える造水装置を複数連結した事を特徴とする空気取水機である。
【考案の効果】
【０００５】従来の一般的に製水機と呼ばれる空気から水を作る製品で、１日の製水量
0003232944.tif 000005
解決することが出来ます。
海外製品の大型機又は大型装置の仕組みは小型機の部品を大型化して１つの機械又は装置としていますが、本考案のような複数の製水機を複数個連結して容易に脱着が可能なやり方ではありませんでした。
なので、個々の部品や使用するファン等のサイズアップとか、コンプレッサーの大型化が必要とされる為に、必然的に限度と限界が発生します。
また、製水する際の騒音、振動などの発生も倍増することになり、製水においても十分な能力を発揮できない構造となりますし、商品化とすることも困難でありましたが、本考案のシステムはそれらを全て解決しました。
また、仮に本考案と同様に個々の製水機を連結する方式を使ったとしても稼働時に生じる振動により配置についても土台に強固に固定しなければならない為脱着が容易にはできない仕組みになりますが、本考案でそれらの課題の解決を図った結果として、１タッチ、僅か３０秒程度の時間で容易に脱着を可能にしました。
また、本考案の空気取水機は、防災・非常時用として採用されたものなので、防災や非常時の為の諸々の要望に応えるシステムを確立しています。
単純に、脱着が出来るだけではなく、その取り出した空気取水機が個々に稼働して必要な場所に運ぶことを前提に、コンセントの形状も一般家庭用で使えるようにして、即座に稼働が可能にしております。
これらの本考案は今までのどの製品にも見られない、また解決できないものと思われます。
【図面の簡単な説明】
【０００６】
【図１】本考案の空気取水機の斜視図である。
【図２】本考案の空気取水機の正面図である。
【図３】本考案の空気取水機タンクセットを示す斜視図である。
【図１】
0003232944.tif 000006
【図２】
0003232944.tif 000007
【図３】
0003232944.tif 000008
(57)【要約】      （修正有）【課題】鉄筋組立作業が天候等に左右されずに、スムーズに設計図に基づき正確に施工することの出来る鉄筋を提供する。【解決手段】鉄筋は、油性マーカーで寸法線を施してある。１０ｃｍ間隔で油性マーカーを施すことにすると、雨天時でもマーカーが消失することなく作業が可能となる。油性マーカーが１０ｃｍピッチなので５ｃｍ、２．５ｃｍ単位は目視割りでもできる。【選択図】図１
0003232942.tif 000002
【実用新案登録請求の範囲】
油性マーカー寸法線記入の鉄筋
【請求項１】
［０００１］
本請求は生産された鉄筋に寸法線のマーカーを着色することにある。
【請求項２】
［０００２］
寸法線マーカーは１０ｃｍ間隔において全長に着色するものとする。
【請求項３】
［０００３］
寸法線マーカーの色は、特定しない。
【請求項４】
［０００４］
寸法線マーカーは油性として、雨水等により分離しないものとする。
【請求項５】
［０００５］
寸法線マーカーは生産される鉄筋の最終工程において着色を施すこととする。
【考案の詳細な説明】
【技術分野】
【０００１】  本考案は、生産された鉄筋に１０ｃｍ間隔で油性マーキングを施して雨天時でも消失せず作業を効率的にできるものである。
【背景技術】
【０００２】  従来の方法では雨天時の作業では鉄筋に寸法線記入ができない場合や、すぐ寸法線が消失するため作業に支障をきたすことが多かった。
【考案の概要】
【考案が解決しようとする課題】
【０００３】  鉄筋組立作業が天候等に左右されずにスムーズ設計図に基づき正確に施工することの出来ること。
【課題を解決するための手段】
【０００４】  本考案は、生産された鉄筋に１０ｃｍ間隔に寸法線をわかりやすい色の油性マーカーを施す。
【考案の効果】
【０００５】  １０ｃｍの油性マーカーがあるため、寸法測定記入を施す必要もなく作業もスムーズに行へ効率的になる。【０００６】  マーキングにより作業時間が短縮されマーキングにより正確性が確保できる。【０００７】  １０ｃｍ間隔に寸法線があり、５ｃｍ，２．５ｃｍ間隔でも目視割りでもできる。
【図面の簡単な説明】
【０００８】
【図１】  １０ｃｍ間隔に寸法線を施した状況。
【図１】
0003232942.tif 000003
【手続補正書】
【提出日】令和3年3月25日(2021.3.25)
【手続補正１】
【補正対象書類名】実用新案登録請求の範囲
【補正対象項目名】全文
【補正方法】変更
【補正の内容】
【実用新案登録請求の範囲】
【請求項１】
油性マーカーで寸法線を施した各径の鉄筋。
【請求項２】
本請求は鉄筋に１０ｃｍ間隔で全長にわたり寸法線マーカーを着色した      請求項１の鉄筋。
【請求項３】
寸法線マーカーの色は任意の色で着色した請求項１の鉄筋。
【請求項４】
雨水等により分離しない油性の寸法線マーカーを施した請求項１の鉄筋。
【請求項５】
鉄筋製造の最終工程において寸法線マーカーを着色する請求項１の鉄筋。
(57)【要約】      （修正有）【課題】往復はがきが返信先に届くまでに、記載された伝達情報は外部にさらされる。上記課題を解決するために、返信の際に往復はがきを二つ折りにして、秘匿情報の記載部分を外部から見えなくするための剥離紙付き接着部を所定の箇所に設けた往復はがきを提供する。【解決手段】はがきの規格寸法に形成された２つの台紙片が連設した往復はがき１は、第一の面の左半分２は往信用の宛先を記入する部分であり、第一の面の右半分３は秘匿情報を記入する部分であり、第一の面の裏面である第二の面の左半分は返信用の宛先を記入する部分であり、第二の面の右半分は非秘匿情報を記入する部分であり、前記第一の面は前記２つの台紙片が重なるように折った後、２つの台紙片が接着するように、剥離紙４付き接着部を前記第一の面の右半分の周囲または前記第一の面の左半分の周囲に設けた。【選択図】図１
0003232960.tif 000002
【実用新案登録請求の範囲】
【請求項１】
はがきの規格寸法に形成された２つの台紙片が連設した往復はがきであって、第一の面の左半分は往信用の宛先を記入する部分であり、第一の面の右半分は秘匿情報を記入する部分であり、第一の面の裏面である第二の面の左半分は返信用の宛先を記入する部分であり、第二の面の右半分は非秘匿情報を記入する部分であり、前記第一の面は前記２つの台紙片が重なるように折った後、２つの台紙片が接着するように、剥離紙付き接着部を前記第一の面の右半分の周囲または前記第一の面の左半分の周囲に設けたことを特徴とする往復はがき。
【考案の詳細な説明】
【技術分野】
【０００１】  本考案は、秘匿情報を記載して返信するための往復葉書に関するものである。
【背景技術】
【０００２】  従来の往復はがきは、返信用宛先の記入面の裏面に伝達情報を記載して、往信用宛先記入面を切り離して返信用宛先記載面のみのはがきとして返信するのが一般的であった。
【先行技術文献】
【特許文献】
【０００３】
【特許文献１】実用新案登録第３１９９４７３号
【特許文献２】特開２００６−１５９７４９
【考案の概要】
【考案が解決しようとする課題】
【０００４】  しかしながら、返信先に届くまでに、記載された伝達情報は外部にさらされることとなり、とても秘匿情報を記載して返送するのは躊躇うものであった。
【課題を解決するための手段】
【０００５】  本考案は、上記課題を解決するために、返信の際に往復はがきを二つ折りにして、秘匿情報の記載部分を外部から見えなくするための剥離紙付き接着部を所定の箇所に設けた往復はがきである。
【考案の効果】
【０００６】  本考案の往復はがきによれば、剥離紙付き接着部を備えることにより、秘匿情報記載部を隠した状態で返信することができるため、外部への情報漏洩を未然に防ぐことができる。
【図面の簡単な説明】
【０００７】
【図１】本考案の往復はがきの第一の面を示す平面図である。
【図２】本考案の往復はがきの第二の面を示す平面図である。
【図３】図１のＡ−Ａ断面図である。
【考案を実施するための形態】
【０００８】  以下、本発明の実施形態について図面に従って説明する。図１及び図２は本考案の往復はがきのそれぞれ第一の面及び第二の面を示す平面図である。また、図３は図１のＡ−Ａ断面図である。図１において、往復はがき１の第一の面には、その左半分２に往信用宛先が記載されており、その右半分３には返信先に伝達するための秘匿情報等が記載されている。そして、前記右半分３の周囲には、図３に示すように、糊状の接着部５が付着されており、この接着部５の表面には、往信時の接着を防止するための剥離紙４が付着している。また、図２に示す第二の面には、その左半分６に返信用宛先が記載されており、その右半分７には非秘匿情報である注意書き等が記載されている。
【０００９】  この往復はがきを受け取った後、秘匿情報を記載して返信する場合には、前記剥離紙４を剥がし、第一の面の左半分２と右半分３を重ねて折ることにより、接着部５により前記左半分２と前記右半分３とがその周囲において密着することになる。このため、返送時に外部に秘匿情報がさらされるのを防ぐことができる。また、前記接着部５は、第一の面の左半分２または右半分３の周囲にのみ付着してあるので、返信先で接着部を剥がした際にも、右半分３に記載されている秘匿情報の箇所を損傷することがない。
【産業上の利用可能性】
【００１０】  本考案は、各種選挙等の郵便投票用紙としても利用可能である。
【符号の説明】
【００１１】  １・・・往復はがき、２・・・第一の面の左半分、３・・・第一の面の右半分、４・・・剥離紙、５・・・接着部、６・・・第二の面の左半分、７・・・第二の面の右半分
【図１】
0003232960.tif 000003
【図２】
0003232960.tif 000004
【図３】
0003232960.tif 000005
(57)【要約】      （修正有）【課題】電池切れやコンセントの有無を気にせず、常時安心して利用できる携帯端末を提供する。【解決手段】太陽光等利用の充電携帯端末は、携帯端末のフタの外側全面に、太陽光モジュール１を一体的に設け、常時発電し、充電される状態を維持する。【選択図】図１
0003232959.tif 000002
【実用新案登録請求の範囲】
【請求項１】
携帯端末のフタの外側全面に太陽光モジュールを一体的に設け、常時発電し充電される状態を維持することができる事を特徴とする太陽光等を利用の充電携帯端末。
【考案の詳細な説明】
【技術分野】
【０００１】  本考案は携帯端末に太陽光等を利用して二次電池に自動充電を可能にした事に関する考案である
【背景技術】
【０００２】  従来の携帯端末、スマートフォン、タブレット、ノートパソコン等は内臓の二次電池が全部放電すると電池切れになり使用が出来なくなる製品がある。
【考案の概要】
【考案が解決しようとする課題】
【０００３】  従来の携帯端末は内臓された二次電池が全部放電すると電源コンセントとアダプターにより充電するしか方法が無く、充電が出来なければ使用不可能の状態になる。
【問題を解決する為の手段】
【０００４】  携帯端末のフタの外側全面に、太陽光モジュールを一体的に設け、常時発電して充電される状態を維持する事が出来る。
以上を特徴とする太陽光等を利用の充電携帯端末である。
【考案の効果】
【０００５】  従来の携帯端末は二次電池が全部放電すると電源コンセントとアダプターで充電しなければ使用不可能になるが、本案はフタの外側全面に太陽光モジュールを一体的に設けて常時充電可能であり、常に携帯端末の使用が可能である。
【図面の簡単な説明】
【０００６】
【図１】  本考案に於いて▲１▼スマートフォン▲２▼タブレット▲３▼ノートパソコン等にそれぞれに太陽光モジュールを設けた状態を示す斜視図である。
【符号の説明】
【０００７】  １  太陽光モジュール
【図１】
0003232959.tif 000003
【手続補正書】
【提出日】令和3年3月29日(2021.3.29)
【手続補正１】
【補正対象書類名】実用新案登録請求の範囲
【補正対象項目名】全文
【補正方法】変更
【補正の内容】
【実用新案登録請求の範囲】
【請求項１】
携帯端末のフタの外側全面に太陽光モジュールを一体的に設けた事を特徴とする太陽光等を利用の充電携帯端末。
(57)【要約】【課題】  本考案は、台風や暴風雨で植木鉢が破損したり、植木や生け花が損傷するのを防止する植木鉢転倒防止具を提供すること。【解決手段】本考案は、エンジニアリングプラスチックで成形した逆Ｔ字状の転倒防止部材４個から８個を植木鉢の底面と外周面に添え、本部材の外周面の上下２箇所の穴に耐候性面ファスナーを通し植木鉢の外周に巻き付け固定し、植木鉢と一体化することで、植木鉢の着座安定を向上し横風による植木鉢の転倒を防止することができる。【選択図】図１
0003232913.tif 000002
【実用新案登録請求の範囲】
【請求項１】
底面が水平の底板と７５°から８５°の角度で立上げた傾斜板の背面にそれぞれ２ｍｍから３ｍｍの補強リブを有する形状とし、エンジニアリングプラスチックで成形した転倒防止部材を４個から８個を植木鉢の底面と外周面に添え、その上下２箇所を耐候性面ファスナーで固定することにより植木鉢の着座が安定し転倒防止を可能にする植木鉢転倒防止具。
【考案の詳細な説明】
【技術分野】
【０００１】  本考案は、台風や強風による植木鉢の転倒を請求項１に示すエンジニアリングプラスチック製の転倒防止部材と面ファスナーからなる植木鉢転倒防止具に関するものである。
【背景技術】
【０００２】  従来の植木鉢の転倒防止は、木箱に植木鉢を１個毎入れる、木製の階段状の棚に鉢をくくり付ける、複数個の鉢をひとまとめにしロープなどでくくり付ける、あるいは鉢の種類や大きさ等に合せ金属製の線，棒、管、板等の曲げや溶接加工等による特注品による対処方法によるものなど汎用性に欠けるものが多い。
【考案の概要】
【考案が解決しようとする課題】
【０００３】植木鉢の種類（材質・形状・サイズ）は多種に渡って存在するが、一般的な円柱形の鉢のサイズは号単位で１号から２０号まで決められている（１号は開き口の直径が３ｃｍで、号数×３ｃｍが開き口の直径である）が、従来の転倒防止用の器や箱の多くは鉢に対する適用サイズが１サイズに限定されており、汎用性に欠けている。
【課題を解決するための手段】
【０００４】本考案による植木鉢転倒防止具は図１に示すようにエンジニアリングプラスチックにより成形した形の転倒防止部材４個から８個を植木鉢の底面部と外周面部に沿わせ、外周面の上下２箇所に面ファスナーで固定することにより、植木鉢の転倒防止を図ることができる。
【考案の効果】
【０００５】図１の示す転倒防止部材を取付けることにより、植木鉢底部の着座直径を３倍から５倍と大幅に拡大できる。その結果、植木鉢の着座安定性が向上し、転倒防止ができる。【０００６】本考案の植木鉢転倒防止具は複数サイズの植木鉢に対応することができる。即ち、図２に示すように植木鉢のサイズにより転倒防止部材の大きさを変更し、より大きなサイズの鉢に対応することができる。【０００７】風向きが一方向でなく、多方向からと変化するような場合には、転倒防止部材を任意に８個まで増やすことにより転倒防止ができる。
【図面の簡単な説明】
【０００８】
【図１】  本考案の転倒防止部材の構造・形状を各方向から示す図である。
【図２】  本考案の実施例を示す植木鉢に転倒防止部材を取付けた全体の状態を示す側面図である。
【図３】  本考案の実施例を示す植木鉢に転倒防止部材を取付けた全体の状態を上から見た図である。
【図４】  本考案の植木鉢転倒防止具の実施例である。
【本考案を実施するための形態】
【０００９】  図２に示すように本考案は植木鉢の底部面と外周面に転倒防止部材を４個から８個を対角線上に沿わせ、その上下２箇所の穴に面ファスナーを通し、植木鉢円周に巻き付け固定する。これにより植木鉢と各転倒防止部材は一体となり地面に安定した状態で据付けられる。
【００１０】  本考案の転倒防止部材は図１に示すとおりの形状で、材質はエンジニアリングプラスチック成形品であり、これを４個から８個を植木鉢に面ファスナーで固定すると、植木鉢底部の地面への着座直径が３倍から５倍に拡大し、着座安定性が増大するため、横風に対する転倒防止ができる。
【００１１】  本考案の植木鉢転倒防止具は植木鉢複数サイズに対応可能であり、植木鉢のサイズが大きくなれば転倒防止部材を図２に示すようにサイズアップすること及び面ファスナーを長くすることにより更に複数サイズの植木鉢に対応することができる。
【００１２】  風の強さや方向性が変化し定まらない場合には、転倒防止部材を４個から８個まで任意に増やすことにより、植木鉢の転倒防止を図ることが可能である。
【符号の説明】
【００１３】１  植木鉢転倒防止部材
２  下用面ファスナー
３  上用面ファスナー
４  植木鉢
【図１】
0003232913.tif 000003
【図２】
0003232913.tif 000004
【図３】
0003232913.tif 000005
【図４】
0003232913.tif 000006
【手続補正書】
【提出日】令和3年3月19日(2021.3.19)
【手続補正１】
【補正対象書類名】実用新案登録請求の範囲
【補正対象項目名】全文
【補正方法】変更
【補正の内容】
【実用新案登録請求の範囲】
【請求項１】
底面が水平の底板と７５°から８５°の角度で立上げた傾斜板の背面にそれぞれ２ｍｍから３ｍｍの補強リブを有する形状からなり、エンジニアリングプラスチックで成形した転倒防止部材（図１）を４個から８個を植木鉢の底面と外周面に添え、前記４個から８個の転倒防止部材各々にある２箇所の穴に耐候性面ファスナーを通して、前記４個から８個の転倒防止部材を植木鉢に固定することにより植木鉢の着座が安定し転倒防止を可能にする植木鉢転倒防止具。
【手続補正２】
【補正対象書類名】明細書
【補正対象項目名】０００４
【補正方法】変更
【補正の内容】
【０００４】  本考案による植木鉢転倒防止具は図１に示すようにエンジニアリングプラスチックにより成形した形の転倒防止部材４個から８個を植木鉢の底面部と外周面部に沿わせ、前記転倒防止部材の外周面の２箇所を面ファスナーで固定することにより、植木鉢の転倒防止を図ることができる。
【手続補正３】
【補正対象書類名】明細書
【補正対象項目名】０００９
【補正方法】変更
【補正の内容】
【０００９】  図２に示すように本考案は植木鉢の底部面と外周面に転倒防止部材（図１）を４個から８個を対角線上に沿わせ、前記４個から８個の各転倒防止部材の２箇所の穴に面ファスナーを通し、植木鉢円周に巻き付け固定する。これにより植木鉢と前記各転倒防止部材は一体となり地面に安定した状態で据付けられる。
(57)【要約】      （修正有）【課題】幼児がお昼寝で使用したベッドをコンパクトに収納し、多くのベッドをまとめて移動できる幼児用ベット庫を提供する。【解決手段】数個のベッドを運ぶ台車１であって、台車を傾けた場合のみ戸車１２で移動でき、床に置いた場合はゴム製足１３と重石１４で転倒を防止できる。箱２はベッド３を埃から守り、園児のいたずらによって崩れ落ちる危険を防ぐことを特徴とした幼児用ベッド庫。【選択図】図２
0003232916.tif 000002
【実用新案登録請求の範囲】
【請求項１】
台車と収納する箱を備え、台車に複数のベッドを乗せて箱に収納できるようにしたことを特徴とした幼児用ベッド庫。
【請求項２】
台車を収納する箱であって、台車に取り付けた前板により収納したときに箱を形成し、ベッドを埃から守り、園児のいたずらによって崩れ落ちる危険を防ぐことを特徴とする請求項１記載の幼児用ベッド庫。
【考案の詳細な説明】
【技術分野】
【０００１】本考案は木製（スチールで補強された）の幼児用ベッド庫に関する。
【背景技術】
【０００２】幼児がお昼寝で使用したベッドをコンパクトに収納し、まとめて移動させたい。
【考案の概要】
【考案が解決しようとする課題】
【０００３】幼児がお昼寝で使用したベッドをコンパクトに収納し、埃からも守りたい。保育士にとっては多くのベッドを移動させるには保育士の職業病の１つである腰痛になりやすい。
【課題を解決するための手段】
【０００４】数個のベッドを運ぶ台車であって、台車を傾けた場合のみ戸車で移動できる。床に置いた場合はゴム製の足と重石で転倒を防止したことを特徴とした幼児用ベッド庫。【０００５】台車を収納する箱であって、台車に取り付けた前板により収納したときに箱を形成し、ベッドを埃から守り、園児のいたずらによって崩れ落ちる危険を防ぐことを特徴とする請求項１記載の幼児用ベッド庫。
【考案の効果】
【０００６】保育士は数個のベッドを移動するとき台車を傾ければよいので、保育士の職業病の１つである腰痛になりやすいが、本考案の幼児用ベッド庫では移動での腰の負担が極めて少なくなる。
【図面の簡単な説明】
【０００７】
【図１】本考案の幼児用ベッド庫の構成（斜視図）
【図２】本考案の幼児用ベッド庫の構成（断面図と斜視図）  （ａ）断面図  （ｂ）斜視図
【考案を実施するための形態】
【０００８】図１本考案の幼児用ベッド庫の構成（斜視図）である。
台車１は、補強枠１１、戸車１２、ゴム製足１３、重石１４、前板１５、手掛穴１６からなり、ベッドを積み重ねて補強枠１１に乗せ、台車１を傾けることにより移動できる。空のときに転倒しないように先端に重石１４を取り付ける。
【０００９】図２は本考案の幼児用ベッド庫の構成を説明するための図で（ａ）は断面図、（ｂ）は斜視図を示す。
（ａ）は断面図で箱２は上板２１、側板２２、裏板２３からなり、台車１、ベッド３を埃から守り、園児のいたずらによって崩れ落ちる危険を防ぐ。
（ｂ）は斜視図で台車１と、ベッド３を収納する箱２を示す。
台車を収納する箱を備え、台車に複数のベッドを載せて箱に収納できる。
【産業上の利用可能性】
【００１０】数個のベッドを収納し移動をしやすくする、幼児用ベッド庫を提供する。
【符号の説明】
【００１１】１  台車
１１  補強枠
１２  戸車
１３  ゴム製足
１４  重石
１５  前板
１６  手掛穴
２  箱
２１  上板
２２  側板
２３  裏板
３  ベッド
【図１】
0003232916.tif 000003
【図２】
0003232916.tif 000004